(57)【特許請求の範囲】
【請求項１】
ラベル基材の一方の面に形成された粘着剤層と該粘着剤層上に接着されている剥離台紙と、前記ラベル基材の他方の面に、非接触で外部からのデータを送受信するアンテナ部と情報記憶部を有するＩＣチップとを基材シートに設けられた非接触ＩＣインレットが貼着され、該非接触ＩＣインレット上に個別情報の印字が可能な表面基材シートが形成されている非接触式ＩＣラベルにおいて、前記ラベル基材と非接触ＩＣインレットの間に補強基材シートが疑似接着層を介して設けられ、前記表面基材シートが該補強基材シートと同じかそれに匹敵する材料を用いてなり、前記粘着剤層上で前記補強基材シートに相当する位置に部分的に白抜き部を有する印刷インキ層を施して粘着剤層の接着力が弱められていることを特徴とする非接触式ＩＣラベル。
【請求項２】
前記部分的に白抜き部を有する印刷インキ層は、一部を除いた周縁に粘着剤層が露出するように施されていることを特徴とする請求項２記載の非接触式ＩＣラベル。
【請求項３】
前記印刷インキ層と該印刷インキ層が施されていない粘着層との境界もしくはその近傍の、前記ラベル基材にミシン目が刻設されていることを特徴とする請求項１乃至２のいずれかに記載の非接触式ＩＣラベル。
【請求項４】
前記表面基材シートの表面がリライタブル性を有していることを特徴とする請求項１乃至３のいずれかに記載の非接触式ＩＣラベル。
【発明の詳細な説明】
【技術分野】
【０００１】
本発明は、外部からのデータの送受信を行う非接触ＩＣインレットを内包した非接触式ＩＣラベルに関するものであり、特に、その非接触ＩＣインレットを剥離して再使用を可能にする非接触式ＩＣラベルに関する。
【背景技術】
【０００２】
従来、ＲＦＩＤ（Radio Freqenecy IDentification）用途の情報記録メディアの如き、電磁波を媒体として外部からのデータ（情報）の送受信を行う非接触ＩＣインレットを内包した非接触式ＩＣラベルが知られ、製造、物流、販売などの商品管理システムなどに広く使用されている。
【０００３】
上記非接触式ＩＣラベルのシステムは、ＩＣチップに情報を記憶し、このＩＣチップに情報の送受信を行うアンテナを接続して非接触ＩＣインレットとし、この非接触ＩＣインレットと、外部のリーダ／ライタのアンテナが電波によって通信し、情報のやり取りを行ってＩＣチップの記憶情報の更新がなされるようになっている。
【０００４】
上記非接触式ＩＣラベルの構成として、例えば、図７の側断面図に示すように、非接触でデータを送受信を行うアンテナ部（１８０）と情報記憶部を有するＩＣチップ（１７０）を基材シート（１３０）上に形成して非接触ＩＣインレット（１００）とし、この非接触ＩＣインレットの裏面にはラベル基材（１５０）を介して粘着部（１６０）を形成し、表面には基材シート（１３０）を介して印字可能な上質紙等でなる表面シート（１４０）が施された非接触式ＩＣラベルがある（例えば、特許文献１参照。）。
【０００５】
以下に、上記先行技術文献を示す。
【特許文献１】特開平１１−１３４４６０号公報
【発明の開示】
【発明が解決しようとする課題】
【０００６】
しかし、上記非接触ＩＣインレット（１００）は、ポリエチレンテレフタレート（ＰＥＴ）やポリイミド（ＰＩ）などの強靱なプラスチックフィルムでなる基材シート（１３０）の片面に、銅箔やアルミニウム箔を転写してエッチング等によりパターン化したり、銅や銀ペーストの印刷によりパターン化してアンテナ部（１８）を形成し、このアンテナ部（１８０）にＩＣチップ（１７０）を接続したものであり、現在では、この製造コストもさることながら、バーコードラベルのように「使い捨て」として使用されると、その廃棄に際し不燃物に分類されるため、被貼着体（商品を包装するダンボールケース等）から剥離（分別回収）して廃棄する必要があった。
【０００７】
さらに一方では、上記非接触ＩＣインレットは何度でも書換えが可能であることから再使用（リサイクル）して前述の廃棄物の問題（分別回収と廃棄物の減量化を含む）とコストの問題点を解消すべきという要望があった。
【０００８】
しかしながら、上記非接触式ＩＣインレットの再使用に際し、そのＩＣインレットが被貼着体（ダンボールケース等）に強力に接着しているので、被貼着体からの剥離が容易でなく、かつ剥離の際に非接触式ＩＣインレットに負荷が掛かり、機能的に損傷する危惧があるという問題があった。
【０００９】
本発明は、かかる従来技術の問題点を解決し要望点に応えるものであり、その課題とするところは、外部からのデータの送受信を行う非接触ＩＣインレットを内包した非接触式ＩＣラベルにおいて、前記非接触ＩＣインレットが機能的な損傷がないように被貼着体（段ボールケース等）から容易に剥離され、非接触ＩＣインレットの再使用（リサイクル）を可能にして廃棄物の減量化に貢献する非接触式ＩＣラベルを提供することにある。
【課題を解決するための手段】
【００１３】
本発明に於いて上記課題を達成するために、まず請求項１の発明では、ラベル基材の一方の面に形成された粘着剤層と該粘着剤層上に接着されている剥離台紙と、前記ラベル基材の他方の面に、非接触で外部からのデータを送受信するアンテナ部と情報記憶部を有するＩＣチップとを基材シートに設けられた非接触ＩＣインレットが貼着され、該非接触ＩＣインレット上に個別情報の印字が可能な表面基材シートが形成されている非接触式ＩＣラベルにおいて、前記ラベル基材と非接触ＩＣインレットの間に補強基材シートが疑似接着層を介して設けられ、前記表面基材シートが該補強基材シートと同じかそれに匹敵する材料を用いてなり、前記粘着剤層上で前記補強基材シートに相当する位置に部分的に白抜き部を有する印刷インキ層を施して粘着剤層の接着力が弱められていることを特徴とする非接触式ＩＣラベルとしたものである。
【００１４】
また、請求項２の発明では、前記部分的に白抜き部を有する印刷インキ層は、一部を除いた周縁に粘着剤層が露出するように施されていることを特徴とする請求項１記載の非接触式ＩＣラベルとしたものである。
【００１５】
また、請求項３の発明では、前記印刷インキ層と該印刷インキ層が施されていない粘着層との境界もしくはその近傍の、前記ラベル基材にミシン目が刻設されていることを特徴とする請求項１乃至２のいずれかに記載の非接触式ＩＣラベルとしたものである。
【００１６】
また、請求項４の発明では、前記表面基材シートの表面がリライタブル性を有していることを特徴とする請求項１乃至３のいずれかに記載の非接触式ＩＣラベルとしたものである。
【発明の効果】
【００１７】
本発明は以上の構成であるから、下記に示す如き効果がある。
【００１８】
即ち、上記請求項１に係る発明によれば、ラベル基材の片面が個別情報の印字が可能な
表面でなり、もう一方の面に粘着剤層が設けられ、該粘着剤層を介して、非接触で外部からのデータを送受信するアンテナ部と情報記憶部を有するＩＣチップとを基材シートに設けられた非接触ＩＣインレットが貼着されている非接触式ＩＣラベルにおいて、前記非接触ＩＣインレットの両面が２枚の補強基材シートで覆われるように接着されていることによって、非接触式ＩＣラベルの再使用のため、その非接触ＩＣインレットを被貼着体から剥離する際に、その補強されている非接触ＩＣインレットが曲がったりすることがなく、よってそれに掛かる負荷が減少されるので、損傷などの危惧のない非接触ＩＣインレットを得ることができる。
【００１９】
かつ前記粘着剤層上の前記補強基材シートに相当する位置に部分的に白抜き部を有する印刷インキ層を施して該粘着剤層の接着力が弱められているので、被貼着体（段ボールケース等）から非接触ＩＣインレットが付いたラベル基材を剥離し易くし、さらにそのラベル基材から非接触ＩＣインレットを容易に剥離することができ、非接触ＩＣインレットの再使用（リサイクル）による廃棄物の減量化に寄与する非接触式ＩＣラベルとすることができる。
【００２０】
また、上記請求項２に係る発明によれば、前記部分的に白抜き部を有する印刷インキ層は、一部を除いた周縁に粘着剤層が露出するように施されていることによって、前記周縁のうちの一部に施された印刷インキ層を剥離のきっかけとし、部分的に有する白抜き部に露出する粘着剤層で非接触ＩＣインレットの補強基材シートに剥がし易いように弱く貼着され、周縁の粘着剤層として残っている部分で被貼着体（段ボールケース等）にしっかりと接着保持できるようにした非接触式ＩＣラベルとすることができる。
【００２１】
また、上記請求項３に係る発明によれば、印刷インキ層と該印刷インキ層が施されていない粘着剤層との境界もしくはその近傍の、ラベル基材にミシン目が刻設されていることによって、ラベル基材の部分的に白抜き部を有する印刷インキ層の部分のみが、このミシン目に沿って切り取られるので、被貼着体（段ボールケース等）からより剥がし易くし、非接触ＩＣインレットの分別回収をより容易にする非接触式ＩＣラベルとすることができる。
【００２２】
また、上記請求項４に係る発明によれば、ラベル基材の一方の面に形成された粘着剤層と該粘着剤層上に粘着されている剥離台紙と、前記ラベル基材の他方の面に、アンテナ部とＩＣチップとを基材シートに設けられた非接触ＩＣインレットが貼着され、該非接触ＩＣインレット上に個別情報の印字が可能な表面基材シートが形成されている非接触式ＩＣラベルにおいて、前記ラベル基材と非接触ＩＣインレットの間に補強基材シートが疑似接着層を介して設けられ、前記表面基材シートが該補強基材シートと同じかそれに匹敵する材料が用いられていることによって、非接触ＩＣインレットの再使用のため、その非接触ＩＣインレットを被貼着体から剥離する際に、その補強されている非接触ＩＣインレットが曲がったりすることがなく、よってそれに掛かる負荷が減少されるので、損傷などの危惧のない非接触ＩＣインレットを得ることができる。
【００２３】
かつ前記粘着剤層上で前記補強基材シートに相当する位置に白抜き部を有する印刷インキ層を施すことによって粘着剤層の接着力が弱められるので、被貼着体（段ボールケース等）から非接触ＩＣインレットが付いたラベル基材を剥離し易くし、さらに補強基材シートが疑似接着層でラベル基材に貼着されているので、そのラベル基材から非接触ＩＣインレットを容易に剥離して回収し、その再使用（リサイクル）による廃棄物の減量化に寄与する非接触式ＩＣラベルとすることができる。
【００２４】
また、上記請求項５に係る発明によれば、前記印刷インキ層は、一部を除いた周縁に粘着剤層が露出するように施されていることによって、前記周縁のうちの一部に施された印
刷インキ層を剥離のきっかけとし、部分的に設けられた白抜き部に露出する粘着剤層と周縁の粘着剤層として残っている部分とで非接触ＩＣインレットをラベル基材を介して被貼着体（段ボールケース等）にしっかりと接着保持できるようにした非接触式ＩＣラベルとすることができる。
【００２５】
また、上記請求項６に係る発明によれば、印刷インキ層と該印刷インキ層が施されていない粘着剤層との境界もしくはその近傍の、ラベル基材にミシン目が刻設されていることによって、部分的に白抜き部を有する印刷インキ層の部分のみがこのミシン目に沿って切取られて剥離されるようになるので、被貼着体（段ボールケース等）から非接触ＩＣインレットを分別回収するに際し、より剥離し易く回収できる非接触式ＩＣラベルとすることができる。
【００２６】
さらにまた、上記請求項７に係る発明によれば、表面基材シートの表面がリライタブル性を有していることによって、この表面基材シートの表面に非接触ＩＣインレットの再使用に応じた商品名や管理番号等個別情報の書換えが可能な非接触式ＩＣラベルとすることができる。
【００２７】
以上のように、本発明は、商品等に貼着され、外部からのデータの送受信を行って、その商品等の製造、物流、販売などの管理などに用いられる非接触式ＩＣラベルとして、特に廃棄物に係わる環境保全の観点から優れた効果を発揮するものである。
【発明を実施するための最良の形態】
【００２８】
以下本発明を実施するための最良の形態を図面を用いて詳細に説明する。
【００２９】
本発明は、図１（ａ）の側断面図に示すように、商品名や管理番号等個別情報の印字が可能な表面でなるラベル基材（１５）の裏面に粘着剤層（１６）が設けられ、この粘着剤層（１６）を介して、非接触で外部からのデータを送受信するアンテナ部（１８）と、情報記憶部を有するＩＣチップ（１７）とが基材シート（１３）に設けられた非接触ＩＣインレット（１０）が貼着されている非接触式ＩＣラベル（１）であって、例えば、図３（ａ）の側断面概略図に示すように、この非接触式ＩＣラベル（１）をダンボールケース等の被貼着体（５）に周縁の粘着剤層（１６）を介して貼着して、商品等の製造、物流、販売などを管理するための非接触式ＩＣラベル（１）に関するものである。
【００３０】
また、本発明は、図２（ａ）の側断面図に示すように、ラベル基材（１５）の一方の面に形成された粘着剤層（１６）とこの粘着剤層（１６）上に接着されている剥離台紙（１２）と、ラベル基材（１５）の他方の面、即ち粘着剤層（１６）が施されている面と反対面に、非接触で外部からのデータを送受信するアンテナ部（１８）と、情報記憶部を有するＩＣチップ（１７）とが基材シート（１３）に設けられた非接触ＩＣインレット（１０）が貼着されていて、この非接触ＩＣインレット（１０）上に商品名や管理番号等個別情報の印字が可能な表面基材シート（１４）が形成されている非接触式ＩＣラベル（１）であって、この剥離台紙（１２）を粘着剤層（１６）面から剥離して、例えば、図３（ｂ）の側断面概略図に示すように、段ボールケース等の被貼着体（５）に貼着する構成の非接触式ＩＣラベル（１）に関するものである。
【００３１】
上記請求項１に係る発明は、例えば、図１（ａ）の側断面図および図１（ｂ）の裏面から見た正面図に示すように、ラベル基材（１５）の片面に粘着剤層（１６）が形成され、この粘着剤層（１６）に、非接触で外部からのデータを送受信するループ状のアンテナ部（１８）およびこのアンテナ部（１８）の外周端子に内周端子を引き込むジャンパー線（１８ａ）と情報記憶部を有するＩＣチップ（１７）とが基材シート（１３）に設けられている非接触ＩＣインレット（１０）が貼着されている非接触式ＩＣラベル（１）であって
、この非接触ＩＣインレット（１０）の両面が２枚の補強基材シート（１１）で覆われるように接着層（１９）で接着されていることを特徴とする非接触式ＩＣラベル（１）である。
【００３２】
さらにまた、上記請求項１に係る発明では、図１（ａ）の側断面図に示すように、ラベル基材（１５）の片面に形成されている粘着剤層（１６）上で、前記補強基材シート（１１）に相当する位置に部分的に白抜き部を有する印刷インキ層（２０）を施してこの粘着剤層の接着力が弱められていることを特徴とする非接触式ＩＣラベル（１）である。
【００３３】
このように、非接触ＩＣインレット（１０）の両面が２枚の補強基材シート（１１）で覆われるように接着されて補強されているので、非接触ＩＣインレット（１０）の再使用のため、例えば、図３（ａ）に示す非接触ＩＣインレット（１０）を被貼着体（５）から剥離する際に、その非接触ＩＣインレット（１０）が曲がることが少なくなり、それに掛かる負荷が減少されるので損傷などの危惧のない非接触ＩＣインレット（１０）を得ることができる。
【００３４】
また、図１（ａ）に示すように、粘着剤層（１６）上で、補強基材シート（１１）に相当する位置に部分的に白抜き部を有する印刷インキ層（２０）を施す（いわゆる糊殺し層を設ける）ことによって、この粘着剤層（１６）の接着力が弱められるので、例えば、図３（ａ）に示す被貼着体（５）から非接触ＩＣインレット（１０）が付いたラベル基材（１５）を剥離し易くし、さらにそのラベル基材（１５）から非接触ＩＣインレットを容易に剥離し回収することができる。
【００３５】
以上のような形態とすることによって、非接触ＩＣインレットを分別回収し、その再使用（リサイクル）による廃棄物の減量化に寄与する非接触式ＩＣラベル（１）とすることができる。
【００３６】
また、上記請求項２に係る発明は、例えば、図４の粘着剤層面からみた平面図に示すように、粘着剤層（１６）上に施される印刷インキ層（２０）は、４隅近傍に白抜き部（２０ａ）を有する印刷インキ層（２０）で、左辺（１６ｂ）を除いた周縁に粘着剤層（１６）が露出するように施されていることを特徴とするものである。
【００３７】
また、部分的に白抜き部を有する印刷インキ層（２０）として、図４に示す４隅近傍に白抜き部（２０ａ）を有する印刷インキ層（２０）に代え、例えば、図５の粘着剤層の面から見た平面図に示すように、６０〜７０％程度の網点でなる印刷インキ層（２０）として粘着剤層（１６）の接着力を調整することもできる。
【００３８】
このように、粘着剤層（１６）上に施され、部分的に白抜き部を有する印刷インキ層（２０）を、上下右辺の周縁を除いたパターンとしその周縁に粘着剤層（１６）が露出するように施されていることによって、図６（ａ）の斜視図に示すように、非接触式ＩＣインレット（１０）を取り出すための被貼着体（５）からの剥離に際し、左辺（１６ｂ）の周縁にある印刷インキ層（２０）をその剥離のきっかけとするものである。
【００３９】
さらに、図４に示すような４隅に白抜き部（２０ａ）を設けたり、図５に示すような６０〜９０％の網点でなるように部分的に有する白抜き部に露出する粘着剤層（１６）で非接触ＩＣインレットが覆われている補強基材シートに剥がし易いように弱く貼着されていて、上下右辺の周縁の粘着剤層（１６）として露出している部分を設けているので、この粘着剤層（１６）の部分で被貼着体（段ボールケース等）にしっかりと接着保持できるようにしたものである。
【００４０】
また、上記請求項３に係る発明は、例えば、図４、図５および図１（ａ）に示すように、部分的に白抜き部を有する印刷インキ層（２０）とこの印刷インキ層（２０）が施されていない周縁の粘着剤層（１６）との境界近傍のラベル基材（１５）にミシン目（２１）を刻設してあることを特徴とするものである。
【００４１】
このように、印刷インキ層（２０）とその周縁の粘着剤層（１６）との境界近傍のラベル基材（１５）にミシン目（２１）を刻設することによって、例えば、図６（ａ）の斜視図に示すように、部分的に白抜き部（２０ａ）を有する印刷インキ層（２０）が施されたラベル基材の部分のみがこのミシン目（２１）に沿って切取られ剥離されるようになるので、被貼着体（５）から非接触ＩＣインレット（１０）を分別回収するに際し、ラベル基材からよりきれいに剥離し易くし、非接触ＩＣインレット（１０）を回収できる非接触式ＩＣラベル（１）とすることができる。
【００４２】
また、上記請求項４に係る発明は、例えば、図２（ａ）の側断面図および図２（ｂ）の平面図に示すように、ラベル基材（１５）の片面に形成された粘着剤層（１６）が形成され、他方の面にループ状のアンテナ部（１８）およびこのアンテナ部（１８）の外周端子に内周端子を引き込むジャンパー線（１８ａ）とＩＣチップ（１３）とが基材シート（１３）に設けられている非接触ＩＣインレット（１０）が貼着されていて、この非接触ＩＣインレット（１０）の表面に印字可能な表面基材シート（１４）が形成されている非接触式ＩＣラベル（１）において、ラベル基材（１５）と非接触ＩＣインレット（１０）の間に腰のあるフィルムでなる補強基材シート（１１）が疑似接着層（２２）を介して設けられている。
【００４３】
また、図２（ａ）および図２（ｂ）に示すように、最表面にある表面基材シート（１４）がこの補強基材シート（１１）と同じかそれに匹敵する材料を用いていることを特徴とする非接触式ＩＣラベル（１）である。
【００４４】
さらにまた、上記請求項４に係る発明では、図２（ａ）に示すように、ラベル基材（１５）に形成されている粘着剤層（１６）の面に、印刷インキ層（２０）を施して前記の粘着剤層（１６）の接着力を弱めていることを特徴とする非接触式ＩＣラベル（１）とするものである。
【００４５】
このように、ラベル基材（１５）と非接触ＩＣインレット（１０）の間に補強基材シート（１１）を設け、この補強基材シート（１１）とほぼ同等の材料でなる表面基材シート（１４）とが用いられているので、再使用のために、例えば、図３（ｂ）に示すような被貼着体（５）から非接触ＩＣインレット（１０）を剥離して回収する際に、例えば、図６（ｂ）の斜視図に示すように、補強基材シートと表面基材シートで補強された非接触ＩＣインレット（１０）は曲がることがないので、それに掛かる負荷が減少され、非接触ＩＣインレット（１０）として再使用の際に損傷などの危惧のない非接触式ＩＣラベル（１）を得ることがでる。
【００４６】
また、ラベル基材（１５）に形成されている粘着剤層（１６）の面で、前記補強基材シート（１１）に相当する位置に、印刷インキ層（２０）を施して粘着剤層（１６）の接着力を弱めることによって、被貼着体（５）からの非接触ＩＣインレット（１０）の剥離が容易になる非接触式ＩＣラベル（１）とすることもでき、さらにまた、非接触ＩＣインレット（１０）を補強している補強基材シート（１１）が疑似接着層（２２）を介してラベル基材（１５）に貼着されていることによって、非接触ＩＣインレット（１０）を剥離されたラベル基材（１５）からきれいに剥離し回収できる非接触式ＩＣラベル（１）とするものである。
【００４７】
また、上記請求項５に係る発明は、例えば、図４の粘着剤層面からみた平面図に示すように、粘着剤層（１６）上に施される印刷インキ層（２０）は、４隅近傍に白抜き部（２０ａ）を有する印刷インキ層（２０）で、左辺（１６ｂ）を除いた周縁に粘着剤層（１６）が露出するように施されていることを特徴とするものである。
【００４８】
また、部分的に白抜き部を有する印刷インキ層（２０）として、図４に示す４隅近傍に白抜き部（２０ａ）を有する印刷インキ層（２０）に代え、例えば、図５に示すように、６０〜７０％程度の網点でなる印刷インキ層（２０）として粘着剤層（１６）の接着力を弱めることもできる。
【００４９】
このように、粘着剤層（１６）上に施され、部分的に白抜き部を有する印刷インキ層（２０）を、上下右辺の周縁を除いたパターンとしその周縁に粘着剤層（１６）が露出するように施されていることによって、非接触式ＩＣインレット（１０）の被貼着体（５）からの剥離に際し、左辺（１６ｂ）の周縁にある印刷インキ層（２０）をその剥離のきっかけとし、上下右辺の周縁の粘着剤層（１６）として露出している部分で非接触ＩＣインレットをラベル基材（１５）を介して被貼着体（段ボールケース等）にしっかりと接着保持できるようにしたものである。
【００５０】
また、上記請求項６に係る発明は、例えば、図４、図５および図２（ａ）に示すように、部分的に白抜き部を有する印刷インキ層（２０）とこの印刷インキ層（２０）が施されていない周縁の粘着剤層（１６）との境界近傍のラベル基材（１５）にミシン目（２１）を刻設してあることを特徴とするものである。
【００５１】
このように、印刷インキ層（２０）とその周縁の粘着剤層（１６）との境界近傍のラベル基材（１５）にミシン目（２１）を刻設することによって、例えば、図６（ｂ）の斜視図に示すように、部分的に白抜き部（２０ａ）を有する印刷インキ層（２０）の部分を有する非接触ＩＣインレット（１０）のみがこのミシン目（２１）に沿って切取られ、被貼着体（５）からの剥離がより容易なものとすることができる。
【００５２】
さらにまた、上記請求項７に係る発明は、例えば、図２（ａ）および図２（ｂ）に示すように、この非接触式ＩＣラベル（１）の最表面を構成する表面基材シート（１４）の表面が商品名や管理番号などの如き個別情報の印字の消去および書き込みが可能なリライタブル性を有していることを特徴とするものである。
【００５３】
このように、表面基材シート（１４）の表面が消去および書き込みが可能なリライタブル性を有していることによって、この非接触ＩＣインレット（１０）の再使用に際し、１度使用したラベルの個別情報の印字を消去し、次の再使用に応じた個別情報を書き込むことのできる非接触式ＩＣラベル（１）とするものである。
【００５４】
以下に本発明の非接触式ＩＣラベル（１）を構成する材料やその製造等について詳細に説明する。
【００５５】
まず、本発明の非接触式ＩＣラベル（１）を再使用する際の被貼着体からの剥離に際し、内包する非接触ＩＣインレット（１０）に負荷が掛からないようにするための補強基材シート（１１）としては、厚み１００μｍ程度のポリエチレケンテレフタレート（ＰＥＴ）、ポリエチレンナフタレート（ＰＥＮ）、あるいはポリカーボネート（ＰＣ）、ポリイミド（ＰＩ）など比較的強靱で腰のあるフィルムが使用される。
【００５６】
また、上記請求項４の非接触式ＩＣラベルを構成する最表面の表面基材シート（１４）としては、上記の補強基材シート（１１）と同様のフィルムが用いられ、両者が同じか上
記材料の組み合わせでも構わない。さらに印字適性（見え易いこと）を考慮してこの表面基材シート（１４）の表面もしくは裏面に白インキ等でなる白色隠蔽層を設けることが好ましい。
【００５７】
また、リライタブル性を有する表面基材シート（１４）の表面としては、印字方式によって異なるが、例えば、サーマルヘッドによる印字の場合、表面基材シート（１４）の表面に無色ないし極淡色透明な熱可逆性インキ（リライタブルインキ）でベタ印刷したものがあり、この熱可逆性インキには、ロイコ色素系、高分子／有機低分子分散系、液晶系の３タイプがあり、これらいずれかを用いることができる。
【００５８】
上記３タイプの代表例としてロイコ色素系の場合を説明すると、その発色／消色は、ロイコ色素（染料）と酸性化合物の組合せによるもので、これら化合物を樹脂バインダーに混合した組成物により熱可逆性（リライタブル）の感熱発色層（１５）を形成する。これらには両性化合物を用いる競争反応系と、長鎖アルキル酸性化合物を用いる相分離系がある。
【００５９】
上記競争反応系は、両性化合物としてフェノールアミン塩を用い、発色反応がフェノール基によって、消色反応がアミノ基によって進むことを利用するものである。ここでこのロイコ染料としては、トリアリールメタン系化合物（クリスタルバイオレットラクトンがよく知られた代表的なものである。）、ジフェニールメタン系化合物、スピロ系化合物、またはフルオラン系化合物などが用いられる。このとき、発色反応の速度の方が消色反応の速度より速いので、加熱して急冷すると発色状態のまま固定され、加熱して徐冷すると消色状態で固定されるものである。
【００６０】
また、上記相分離系は、ロイコ色素と長鎖アルキル酸性化合物との相溶状態と非相溶状態とを冷却速度の差によって制御するもので、加熱して相溶状態のまま急冷すると相溶したまま固定されて発色状態となり、加熱して相溶状態のまま徐冷すると相分離を起こして非相溶状態となり消色するものである。ここで、この長鎖アルキル酸性化合物としては、長鎖アルキル基を持つフェノール化合物、または長鎖アルキル基を持つホスホン酸化合物が用いられる。この長鎖アルキル基としては、前者の場合で炭素数１１以上が、後者の場合で炭素数１４以上が好ましい。
【００６１】
上記急冷および徐冷は、実際の使用において、例えばサーマルヘッドで１／１０００秒のオーダーの時間で瞬間的に昇温して加熱した後、常温で冷却することで急冷が実現でき、発色させることができ、また、ヒートローラー、ホットプレートなどの熱容量の大きい加熱装置で加熱した後、常温で冷却することで徐冷が実現でき、消色させることができるものである。
【００６２】
上記熱可逆性インキによる感熱発色層の透明化（消去）温度範囲を制御するため、樹脂の可塑剤、高沸点溶剤等を樹脂母材に対し、０．１％から２０％重量部添加することができる。さらに、この感熱発色層の繰り返し印字消去耐性を向上させるため、樹脂母材に対応した三次元架橋する硬化剤、架橋剤等を樹脂母材に対し、０．５％から１０％重量部添加することもできる。
【００６３】
また、本発明の非接触式ＩＣラベルを構成するラベル基材（１５）としては、通常の坪量６０〜１００ｇ／ｍ2 程度の上質紙、コート紙、あるいは合成紙等が挙げられ、少なくとも請求項１のラベル基材（１５）の表面は印字適性を有する必要があり、その印字方式がインクジェット方式の場合、その表面はそのままでも構わないが、インクの滲みや反発による画線の乱れ等を防止するため、例えば、ダイアセトン（メタ）アクリルアミドを必須モノマー成分として含むアクリル共重合体とカルボン酸ジヒドラジドからなる組成物を
適当な溶剤に溶かして塗布後、加熱硬化させたインキ受像層を表面に形成することが好ましい。また、サーマルヘッドによる感熱転写方式の場合も、その表面はそのままでも構わないが、印字の定着性等を考慮して、例えば、ポリエステル樹脂やアクリル樹脂等の接着性の良好な樹脂の溶液を塗布及び乾燥したインキ受像層を表面に設けたものとしてもよい。さらにまた、レーザーマーカーによる印字方式の場合、表面に黒色層を設け、この黒色層をレーザー光の照射によって破壊して、白色の印字とすることもできる。
【００６４】
また、ラベル基材（１５）として、上記のような紙類に限らず、例えば、厚み３０〜５０μｍ程度のポリエチレンテレフタレートフィルム、ポリプロピレンフィルムなどのプラスチックフィルムを用いることもでき、このプラスチックフィルムの場合は印字が見えやすいように、表面または裏面に白色インキによる白色隠蔽層を設けてたものが好ましく、その表面には、上記紙類の場合に適用したものと同様の表面処理（インキ受理層や黒色層）を施す必要がある。
【００６５】
また、上記ラベル基材（１５）の裏面に形成する粘着剤層（１６）に用いられる感圧性接着剤（粘着剤）としては、溶剤型、水系エマルション型、ホットメルト型（無溶剤型）があり、その溶剤型としては、天然ゴム、ブロック共重合体系を含む合成ゴムを主成分とし、ロジンとそのエステル、テルペン樹脂等の粘着付与樹脂、フタル酸エステル、リン酸エステル等の軟化剤をトルエン、Ｎ−ヘキサンなどの溶媒に溶解したもの、あるいは酢酸エチルやトルエンが主体の溶媒中でラジカル重合で得られたポリアクリル酸エステルを主体としたアクリル系樹脂に、ロジンとそのエステル、テルペン樹脂等の粘着付与樹脂、フタル酸エステル、リン酸エステル等の可塑剤、ジイソシアネート、アジリジニル基化合物などの硬化剤等でなるものがある。
【００６６】
また、水系エマルション型としては、水中での乳化重合で得られたポリアクリル酸エステルを主体としたアクリル系樹脂を消泡剤、レベリング剤、増粘剤ネチタン分散体等添加剤等でなるエマルションとしたものがあり、また、ホットメルト型（無溶剤型）としては、エチレン−酢酸ビニル共重合体を主成分としたものがあり、上記溶剤型、水系エマルション型、ホットメルト型（無溶剤型）のいずれもが使用できるが、その中でもアクリル系樹脂を主要樹脂とした水系エマルション型の粘着剤を用いた粘着剤層（１６）がローラー間での柔軟性においてより好適なものであり、かつ環境問題への対応、安全性、経済性などの観点からもより有利な粘着剤である。
【００６７】
上記感圧性接着剤（粘着剤）のラベル基材（１５）への塗工は、直接塗布することもできるが、薄く且つ均一にするため例えば、シリコンが塗布されている剥離紙にリバースコーターやダイコーター等で塗工し、乾燥後、その塗工膜をラベル基材（１５）へ反転圧着（転写）する方式で得ることができる。
【００６８】
また、上記粘着剤層（１６）に用いられるものとして、被貼着体（５）にもよるが、感熱性粘着剤を用いることができ、その基本的組成は、非水溶性高分子材料、粘着付与剤、固体可塑剤からなり、常温では粘着性がないが、加熱によって活性化して粘着性が生じ、その粘着性が冷却後もかなりの期間持続するような接着剤（粘着剤）をいい、通常、この粘着剤の乾燥塗膜はタックがないので、この粘着剤層（１６）を覆うための剥離台紙（１２）が不要になる。
【００６９】
上記組成のうちの非水溶性高分子材料は、接着力を与える成分であり、例えば、ポリ酢酸ビニル、エチレン−酢酸ビニル共重合体、ポリアクリル酸エステル系、ポリ塩化ビニル系、天然ゴム、合成ゴム、酢酸ビニル−アクリル酸エステル共重合体、ポリエステル系、ポリウレタン系の非水溶性高分子化合物類が使用される。
【００７０】
また、上記粘着付与剤は、加熱により活性化された際に粘着性を増強させるための成分であり、例えば、ロジン誘導体、テルペン樹脂系、石油樹脂系、フェーノール樹脂系、キシレン樹脂系等の樹脂類が使用される。
【００７１】
また、上記固体可塑剤は、常温では固体であって、その融点以上に加熱されると溶融し、前記非水溶性高分子材料や粘着付与剤を膨潤・溶解して、粘着・接着性を発現させる。そして、一旦溶解した後はなかなか結晶化しないので、活性化後の粘着保持時間を長くとることができるもので、例えば、フタル酸ジフェニル、フタル酸ジヘキシル、フタル酸ジシクロヘキシル、フタル酸ジヒドロアビエチル、イソフタル酸ジメチル、安息香酸スクロース、ジ安息香酸エチレングリコール、トリ安息香酸トリメチロールエタン、トリ安息香酸グリセリド、テトラ安息香酸ペンタエリエット、オクタ酢酸スクロース、クエン酸トリシクロヘキシルＮ−シクロヘキシル−Ｐ−トルエンスルホンアミド等の常温で固体の有機化合物が使用される。
【００７２】
また、上記粘着剤層（１６）上に形成する白抜き部を有する印刷インキ層（２０）は、グラビア印刷、オフセット印刷、凸版印刷あるいはスクリーン印刷等のいずれの方式でも得ることが可能であるが、粘着剤層（１６）上に設けることから、オフセット印刷やグラビア印刷方式では、粘着剤層（１６）にブランケットやグラビア印刷版の非画像部に相当する部分が接触し、ラベル基材（１５）が粘着剤層（１６）に付着して、印刷不可能になる危惧があるため、凸版印刷方式、すなわちアニロックスロールを介するフレキソ印刷や樹脂凸版印刷方式等が好適で、これら印刷方式に用いられるインキで油性でも水性でもよく、さらに何れの色でも構わない。
【００７３】
また、上記請求項４で使用する疑似接着層（２２）としては、例えば、ポリウレタンやポリエステルなどの熱可塑性樹脂を加熱ロール等で加圧して仮接着したものなどが挙げられ、補強基材シート（１１）を引っ張ると疑似接着層（２２）から比較的容易に剥離され、その疑似接着層（２２）がラベル基材（１５）に残るようになる。よって補強基材シート（１１）に貼着している非接触ＩＣインレット（１０）がきれいな形で回収されるようになる。
【００７４】
また、上記補強基材シート（１１）に包まれている非接触ＩＣインレット（１０）は、例えば図１（ａ）および図１（ｂ）に示すように、絶縁性の有機基材シート（１３）の表面に固有の識別情報を格納したＲＦＩＤ用のＩＣチップ（１７）とその識別情報を送受信するコイル状のアンテナ（１８）部が配設され（但しコイル状のアンテナの端子を接続するジャンパー線（１８ａ）は裏面の場合がある）ているもので、その有機基材シート（１３）としては、その厚みは特定できないが、例えばポリエチレンテレフタレート（ＰＥＴ）、ポリエチレンナフタレート（ＰＥＮ）、あるいはポリイミドなど強靱なフィルムが用いられる。
【００７５】
また、上記非接触ＩＣインレット（１０）を構成するアンテナ部（１８）としては、ＰＥＴ等でなる有機基材シート（３０）上にラミネートされている銅やアルミニウム等の金属箔をエッチングで、またはＰＥＴ等でなる有機材もしくは紙からなる基材シート（１３）上に導電性ペーストによるスクリーン印刷で得ることができる。また、アンテナ部（１８）の平面形状は、コイル型に限らず、図１（ａ）に示すようなループ型、あるいはダイポール型（図示せず）であってもよい。
【００７６】
以上のように、本発明の非接触式ＩＣラベル（１）は、外部からのデータの送受信を行う非接触ＩＣインレットを内包したもので、特に、その非接触ＩＣインレットが機能的な損傷がないように被貼着体（段ボールケース等）から容易に剥離され、非接触ＩＣインレットの再使用（リサイクル）を可能にして環境保全（廃棄物の減量化）に貢献するもので
ある。
【図面の簡単な説明】
【００７７】
【図１】本発明の非接触式ＩＣラベルの一事例を説明するもので、（ａ）は、その側断面の模式図であり、（ｂ）は、その裏面から見た平面図である。
【図２】本発明の非接触式ＩＣラベルの他の事例を説明するもので、（ａ）は、その側断面の模式図であり、（ｂ）は、その裏面から見た平面図である。
【図３】本発明の非接触式ＩＣラベルを被貼着体に貼着した事例で、（ａ）は、その一事例を示す側断面の模式図であり、（ｂ）は、他の一事例を示す側断面の模式図である。
【図４】本発明の非接触式ＩＣラベルを構成する粘着剤層側から見た一事例を平面で表した説明図である。
【図５】本発明の非接触式ＩＣラベルを構成する粘着剤層側から見た他の一事例を平面で表した説明図である。
【図６】本発明の非接触式ＩＣラベルに内包する非接触ＩＣインレットを剥離回収する説明図であり、（ａ）は、その一事例を示す斜視図であり、（ｂ）は、他の事例を示す斜視図である。
【図７】従来の非接触式ＩＣラベルの一事例を説明する側断面図である。
【符号の説明】
【００７８】
１‥‥非接触式ＩＣラベル
５‥‥被貼着体
１０‥‥非接触ＩＣインレット
１１‥‥補強基材シート
１２‥‥剥離台紙
１３‥‥基材シート
１４‥‥表面基材シート
１５‥‥ラベル基材
１６‥‥粘着剤層
１６ｂ‥‥ラベル基材の左辺
１７‥‥ＩＣチップ
１８‥‥アンテナ部
１８ａ‥‥ジャンパー線
１９‥‥接着層
２０‥‥印刷インキ層
２０ａ‥‥印刷インキ層の白抜き部
２１‥‥ミシン目
２２‥‥疑似接着層
１００‥‥従来の非接触式ＩＣラベルの非接触ＩＣインレット
１２０‥‥従来の非接触式ＩＣラベルの剥離台紙
１３０‥‥従来の非接触式ＩＣラベルの基材シート
１４０‥‥従来の非接触式ＩＣラベルの表面基材シート
１５０‥‥従来の非接触式ＩＣラベルのラベル基材
１６０‥‥粘着部
１７０‥‥ＩＣチップ
１８０‥‥アンテナ
【図１】
0004828257.tif 000002
【図２】
0004828257.tif 000003
【図３】
0004828257.tif 000004
【図４】
0004828257.tif 000005
【図５】
0004828257.tif 000006
【図６】
0004828257.tif 000007
【図７】
0004828257.tif 000008